(57)【要約】【課題】レンズ鏡筒内でのフレキシブル配線基板同士の干渉、沈胴時における内部部品によるフレキシブル配線基板の挟み込み、及びフレキシブル配線基板に光線が当たることによるゴーストの発生を防止する仕組みを提供する。【解決手段】レンズ鏡筒は、ズーム位置に応じて第１光学系３００とともに光軸方向に移動する第１アクチュエータ３０５と、ズーム位置に応じて第１光学系３００より結像面側に配置された第２光学系５００とともに光軸方向に移動する第２アクチュエータ５０４と、第１アクチュエータ３０５に接続されるＦＰＣ３０９と、第２アクチュエータ５０４に接続されるＦＰＣ５０６と、ＦＰＣ３０９，５０６を外部に導出する開口部８００ｅが形成される外筒部材８００と、沈胴位置と前記撮影位置との間で前記ＦＰＣ３０９がＦＰＣ５０６を外筒部材８００の内周部に向けて付勢するようにＦＰＣ３０９の光軸に接近する方向への湾曲を規制する規制手段４０３ｄと、を備える。【選択図】図１２
2015125441.tif 000002
【特許請求の範囲】
【請求項１】
沈胴位置と撮影位置との間で光学系が光軸方向に移動して撮影倍率を変更するズーム式のレンズ鏡筒であって、
ズーム位置に応じて第１光学系とともに光軸方向に移動する第１アクチュエータと、
ズーム位置に応じて前記第１光学系より結像面側に配置された第２光学系とともに光軸方向に移動する第２アクチュエータと、
前記第１アクチュエータに接続される第１フレキシブル配線基板と、
前記第２アクチュエータに接続される第２フレキシブル配線基板と、
前記第１光学系及び前記第２光学系の径方向外側に配置され、前記第１フレキシブル配線基板及び前記第２フレキシブル配線基板を外部に導出する開口部が形成される外筒部材と、
前記沈胴位置と前記撮影位置との間で前記第１フレキシブル配線基板が前記第２フレキシブル配線基板を前記外筒部材の内周部に向けて付勢するように前記第１フレキシブル配線基板の光軸に接近する方向への湾曲を規制する規制手段と、を備えることを特徴とするレンズ鏡筒。
【請求項２】
前記第１光学系と前記第２光学系との間に配置され、ズーム位置に応じて光軸方向に移動する第３光学系を備え、
前記規制手段は、前記第３光学系の外周部から結像面側に延びて設けられることを特徴とする請求項１に記載のレンズ鏡筒。
【請求項３】
前記規制手段は、前記撮影位置におけるワイド位置で前記開口部より結像面側に延びて設けられることを特徴とする請求項２に記載のレンズ鏡筒。
【請求項４】
前記第１フレキシブル配線基板の前記第２フレキシブル配線基板を前記外筒部材の内周部に向けて付勢する部分の幅は、前記第２フレキシブル配線基板の幅より広いことを特徴とするとする請求項１乃至３のいずれか一項に記載のレンズ鏡筒。
【請求項５】
前記開口部の幅は、前記開口部を挿通する前記第１フレキシブル配線基板の幅と前記第２フレキシブル配線基板の幅の合計よりも狭いことを特徴とする請求項１乃至４のいずれか一項に記載のレンズ鏡筒。
【請求項６】
沈胴位置と撮影位置との間で光学系が光軸方向に移動して撮影倍率を変更するズーム式のレンズ鏡筒を備える撮像装置であって、
前記レンズ鏡筒として、請求項１乃至５のいずれか一項に記載のレンズ鏡筒を備えることを特徴とする撮像装置。
【発明の詳細な説明】
【技術分野】
【０００１】
本発明は、例えばデジタルカメラ等の撮像装置に搭載されるレンズ鏡筒及びレンズ鏡筒を備える撮像装置に関する。
【背景技術】
【０００２】
デジタルカメラ等の撮像装置に搭載されるレンズ鏡筒として、フォーカスレンズを駆動するフォーカスモータをズーム駆動に応じて光軸方向に移動させる技術がある。例えば、ズーム駆動によって回転するカム環のカム溝にフォーカスモータを保持するフォーカスレンズ枠のフォロアピンを係合させて、フォーカスレンズ枠をフォーカスモータとともに光軸方向に移動させるレンズ鏡筒が開示されている（特許文献１）。
【先行技術文献】
【特許文献】
【０００３】
【特許文献１】特開２００６−２７６４６４号公報
【発明の概要】
【発明が解決しようとする課題】
【０００４】
ところで、ズーム式のレンズ鏡筒には、フォーカスモータに電力を供給するフレキシブル配線基板の他に、シャッタや像ブレ補正レンズを駆動するアクチュエータに電力を供給する複数のフレキシブル配線基板が配置される。また、これらのフレキシブル配線基板が接続される各アクチュエータは、レンズ鏡筒のズーム位置に応じてそれぞれ光軸方向に移動する。
【０００５】
しかし、上記特許文献１では、フォーカスモータに電力を供給するフレキシブル配線基板の配置についての開示がされていない。このため、フレキシブル配線基板同士の干渉、沈胴時における内部部品によるフレキシブル配線基板の挟み込み、及びフレキシブル配線基板に光線が当たることによるゴーストの発生等が懸念される。
【０００６】
そこで、本発明は、レンズ鏡筒内でのフレキシブル配線基板同士の干渉、沈胴時における内部部品によるフレキシブル配線基板の挟み込み、及びフレキシブル配線基板に光線が当たることによるゴーストの発生を防止する仕組みを提供することを目的とする。
【課題を解決するための手段】
【０００７】
上記目的を達成するために、本発明は、沈胴位置と撮影位置との間で光学系が光軸方向に移動して撮影倍率を変更するズーム式のレンズ鏡筒であって、ズーム位置に応じて第１光学系とともに光軸方向に移動する第１アクチュエータと、ズーム位置に応じて前記第１光学系より結像面側に配置された第２光学系とともに光軸方向に移動する第２アクチュエータと、前記第１アクチュエータに接続される第１フレキシブル配線基板と、前記第２アクチュエータに接続される第２フレキシブル配線基板と、前記第１光学系及び前記第２光学系の径方向外側に配置され、前記第１フレキシブル配線基板及び前記第２フレキシブル配線基板を外部に導出する開口部が形成される外筒部材と、前記沈胴位置と前記撮影位置との間で前記第１フレキシブル配線基板が前記第２フレキシブル配線基板を前記外筒部材の内周部に向けて付勢するように前記第１フレキシブル配線基板の光軸に接近する方向への湾曲を規制する規制手段と、を備えることを特徴とする。
【発明の効果】
【０００８】
本発明によれば、レンズ鏡筒内でのフレキシブル配線基板同士の干渉、沈胴時における内部部品によるフレキシブル配線基板の挟み込み、及びフレキシブル配線基板に光線が当たることによるゴーストの発生を防止することができる。
【図面の簡単な説明】
【０００９】
【図１】本発明の実施形態の一例であるレンズ鏡筒の分解斜視図である。
【図２】第３レンズ群の分解斜視図である。
【図３】第４レンズ群の分解斜視図である。
【図４】第５レンズ群の斜視図である。
【図５】沈胴位置でのレンズ鏡筒の断面図である。
【図６】各レンズ群のカム軌跡を示す図である。
【図７】ワイド位置でのレンズ鏡筒の要部断面図である。
【図８】テレ位置でのレンズ鏡筒の要部断面図である。
【図９】第３レンズ群のフレキシブル配線基板の展開図である。
【図１０】第５レンズ群のフレキシブル配線基板の展開図である。
【図１１】レンズ鏡筒の沈胴位置における各フレキシブル配線基板の配置を示す断面図である。
【図１２】レンズ鏡筒のワイド位置における各フレキシブル配線基板の配置を示す断面図である。
【図１３】レンズ鏡筒のワイド位置における各フレキシブル配線基板の配置を比較例及び本実施形態例として示す断面図である。
【図１４】レンズ鏡筒のテレ位置における各フレキシブル配線基板の配置を示す断面図である。
【発明を実施するための形態】
【００１０】
以下、本発明の実施形態の一例を図面を参照して説明する。
【００１１】
図１は、本発明の実施形態の一例であるレンズ鏡筒の分解斜視図である。図２は、第３レンズ群の分解斜視図である。図３は、第４レンズ群の分解斜視図である。図４は、第５レンズ群の斜視図である。なお、本実施形態では、デジタルカメラ等の撮像装置に搭載されるズーム式のレンズ鏡筒を例に採る。
【００１２】
本実施形態のレンズ鏡筒は、沈胴位置と撮影位置との間で光学系が光軸方向に移動して撮影倍率を変更するズーム式とされ、図１に示すように、第１レンズ群１００、第２レンズ群２００、第３レンズ群３００、及び第４レンズ群４００を備える。また、レンズ鏡筒は、第５レンズ群５００、内カム筒６００、外カム筒７００、固定筒８００、駆動筒８０１及びセンサホルダ９００を備える。ここで、第３レンズ群３００は、本発明の第１光学系の一例に相当し、第５レンズ群５００は、本発明の第２光学系の一例に相当し、第４レンズ群４００は、本発明の第３光学系の一例に相当する。
【００１３】
第１レンズ群１００は、第１レンズ１０１を保持する円筒状の第１レンズ枠１０２を有する。第１レンズ枠１０２の内周部には、径方向内側に突出する不図示のカムピン及び第１レンズ群１００を回転規制する不図示のキー溝が設けられる。
【００１４】
第２レンズ群２００は、第２レンズ２０１を保持する円筒状の第２レンズ枠２０２を有する。第２レンズ枠２０２の外周部には、径方向外側に突出するカムピン２０２ａが周方向に略等間隔で複数設けられるとともに、第２レンズ群２００を回転規制する直進キー２０２ｂが設けられる。
【００１５】
第３レンズ群３００は、図２に示すように、第３レンズ枠３０２ａ，３０２ｂ、３群ベース３０３、３群カバー３０４、及び絞りシャッタ装置３０５を有する。第３レンズ枠３０２ａは、被写体側の第３レンズ３０１ａを保持し、第３レンズ枠３０２ｂは、結像面側の第３レンズ３０１ｂを保持する。
【００１６】
絞りシャッタ装置３０５は、第３レンズ枠３０２ａと第３レンズ枠３０２ｂとの間でシャッタ羽根と絞り羽根によって光量を調節する。第３レンズ枠３０２ａと第３レンズ枠３０２ｂとは、絞りシャッタ装置３０５を間に挟んで絞りシャッタ装置３０５の径方向外側で互いに接着固定される。また、第３レンズ枠３０２ａには、ＩＳマグネット３１０が保持され、第３レンズ枠３０２ａと３群ベース３０３との間には、ＩＳばね３０６が架け渡される。
【００１７】
３群ベース３０３は、ＩＳコイル３０７、及びＩＳボール３０８を有し、３群カバー３０４に対してスナップフィット等で締結される。３群カバー３０４には、フレキシブル配線基板３０９が固定され、フレキシブル配線基板３０９のＩＳマグネット３１０に対向する位置には、不図示のＩＳセンサが固定され、ＩＳセンサは、３群カバー３０４の切り欠き部３０４ａに挿入される。
【００１８】
そして、第３レンズ枠３０２ａは、ＩＳばね３０６の作用により３群ベース３０３に対して光軸と直交する面内でＩＳボール３０８を介して移動可能に保持される。また、第３レンズ枠３０２ａは、ＩＳコイル３０７及びＩＳマグネット３１０の磁気作用により発生する駆動力により光軸と直交する面内で任意の位置へ移動し、ＩＳセンサの出力に基づき位置制御される。
【００１９】
フレキシブル配線基板３０９には、ＩＳセンサの信号線、ＩＳコイル３０７への電力供給線、絞りシャッタ装置３０５への電力供給線などの配線パターンが設けられている。フレキシブル配線基板３０９は、後述するように、鏡筒側面の開口から外側へ導出され、不図示の基板に接続される。
【００２０】
３群ベース３０３の外周部には、径方向外側に突出するカムピン３０３ａ及び第３レンズ群３００を回転規制する直進キー３０３ｂが周方向に略等間隔で複数設けられる。また、３群ベース３０３の外周部には、後述する内直進筒６１０を回転規制する直進キー３０３ｃが設けられる。
【００２１】
第４レンズ群４００は、図３に示すように、第４レンズ４０１を保持する第４レンズ枠４０２、４群ベース４０３、トーションバネ４０４、揺動軸４０５、及び４群ベースカバー４０６を有する。
【００２２】
４群ベース４０３には、揺動軸４０５を介して第４レンズ枠４０２が揺動可能に支持される。揺動軸４０５は、４群ベース４０３及び４群ベースカバー４０６に圧入され、４群ベースカバー４０６は、４群ベース４０３に締結される。トーションバネ４０４は、第４レンズ枠４０２を４群ベース４０３に対して回転方向に付勢する。
【００２３】
４群ベース４０３の外周部には、径方向外側に突出するカムピン４０３ａ、及び第４レンズ群４００を回転規制する直進キー４０３ｂが周方向に略等間隔で複数（図では３カ所）設けられる。カムピン４０３ａ、及び直進キー４０３ｂは、３群ベース３０３のカムピン３０３ａ、及び直進キー３０３ｂと同位相に配置される。また、４群ベース４０３には、光軸方向に被写体側に突出する突出部４０３ｃが設けられている。
【００２４】
突出部４０３ｃには、第４レンズ枠４０２に設けられた当接部４０２ｂがトーションバネ４０４の付勢力によって当接する。このとき、第４レンズ４０１は、光軸上に配置される。第４レンズ枠４０２には、退避カム４０２ａが設けられる。退避カム４０２ａは、後述する５群ベース５０３のツノ部５０３ｃによって沈胴時に光軸から退避する。第４レンズ枠４０２の揺動軸４０５と反対側の端部には、組み立て時に使用する引っ掛け部４０２ｃが設けられている。
【００２５】
第５レンズ群５００は、図４に示すように、第５レンズ枠５０２、５群ベース５０３、ＡＦモータ５０４、フォトインタラプタ５０５、フレキシブル配線基板５０６、ラック５０７、ラックバネ５０８、及びガイドバー５０９ａ，５０９ｂを有する。第５レンズ枠５０２は、第５レンズ５０１を保持する。
【００２６】
ＡＦモータ５０４は、第５レンズ枠５０２を光軸方向に駆動する。ラックバネ５０８は、ラック５０７に組み付けられ、ラック５０７は、第５レンズ枠５０２に保持される。ガイドバー５０９ａ，５０９ｂは、５群ベース５０３に保持される。
【００２７】
第５レンズ枠５０２には、スリーブ部５０２ａが形成されている。スリーブ部５０２ａの両端には、ガイドバー５０９ａと係合するスリーブ穴５０２ｂ，５０２ｃが形成されている。また、第５レンズ枠５０２には、ガイドバー５０９ｂと係合するＵ溝５０２ｄが形成されている。
【００２８】
５群ベース５０３は、ガイドバー５０９ａ，５０９ｂを介して第５レンズ枠５０２を光軸方向に移動自在に支持する。５群ベース５０３の外周部には、径方向外側に突出するカムピン５０３ａ、及び第５レンズ群５００を回転規制する直進キー５０３ｂが周方向に略等間隔で複数（図では３カ所）設けられる。また、５群ベース５０３には、光軸方向に被写体側に向けて突出するツノ部５０３ｃが設けられる。ツノ部５０３ｃは、沈胴状態において第４レンズ枠４０２の退避カム４０２ａに当接し、第４レンズ枠４０２を光軸から退避させる。
【００２９】
ＡＦモータ５０４は、フランジ５１１を介して５群ベース５０３に固定される。ＡＦモータ５０４の駆動軸には、ねじ軸５１０が設けられ、ねじ軸５１０には、ラックバネ５０８により付勢された状態のラック５０７が噛合する。ＡＦモータ５０４の駆動によりねじ軸５１０が回転すると、ラック５０７と第５レンズ枠５０２とが一体に光軸方向に移動する。
【００３０】
フォトインタラプタ５０５は、５群ベース５０３に対する第５レンズ枠５０２の光軸方向位置を被検出部５０２ｅによる遮光の有無によって検知する。
【００３１】
フレキシブル配線基板５０６は、ＡＦモータ５０４及びフォトインタラプタ５０５へ電力を供給し、後述するように、鏡筒外筒の側面に設けられた開口部から外部へ導出されて不図示の基板に接続される。
【００３２】
図１に戻って、内カム筒６００は、第１レンズ枠１０２の内周側に配置される。内カム筒６００の内周側には、内直進筒６１０が配置される。内カム筒６００及び内直進筒６１０は、互いに回転可能で光軸方向に一体的に移動する。内カム筒６００の外周部には、１群カム溝６００ａが設けられ、１群カム溝６００ａには、第１レンズ枠１０２の内周部に設けられたカムピン（不図示）が係合し、第１レンズ群１００を光軸方向に駆動する。内カム筒６００の内周部には、２群カム溝６００ｂが設けられ、２群カム溝６００ｂには、内直進筒６１０の内周側に配置される第２レンズ枠２０２のカムピン２０２ａが係合して、第２レンズ群２００を光軸方向に駆動する。
【００３３】
内直進筒６１０の被写体側の端部には、内カム筒６００より径方向外側に延出するフランジ部６１１が設けられる。フランジ部６１１には、第１レンズ枠１０２の内周部に設けられたキー溝（不図示）に係合して、第１レンズ群１００を回転規制した状態で光軸方向に案内する直進キー６１０ａが設けられている。内直進筒６１０には、第２レンズ枠２０２の直進キー２０２ｂが係合して第２レンズ群２００を回転規制した状態で光軸方向に案内する切り欠き溝６１０ｂが設けられる。また、内直進筒６１０の内周部には、直進溝６１０ｃが設けられ、直進溝６１０ｃは、３群ベース３０３の直進キー３０３ｃに係合して内直進筒６１０の回転が規制される。
【００３４】
内直進筒６１０の外周側には、内カバー筒６２０が第１レンズ枠１０２の外周側に位置して設けられる。内カム筒６００及び内カバー筒６２０は、３か所のスナップフィット６２０ａで締結されて一体に光軸方向に移動する。
【００３５】
内カム筒６００の外周部には、径方向外側に突出するカムピン６００ｃが周方向に略等間隔で複数設けられる。また、内カム筒６００の外周部には、外カム筒７００から回転力を伝達される回転伝達キー６００ｄがカムピン６００ｃと位相を変えて周方向に略等間隔で複数設けられる。
【００３６】
内カバー筒６２０の外周側には、外直進筒７１０が配置され、外直進筒７１０の外周側には、外カム筒７００が配置される。外直進筒７１０及び外カム筒７００は、互いに回転可能でかつ光軸方向に一体に移動する。
【００３７】
外直進筒７１０の内周部には、カム溝７１０ａが設けられ、カム溝７１０ａには、内カム筒６００のカムピン６００ｃが係合して、内カム筒６００を光軸方向に駆動する。外直進筒７１０には、カム溝７１０ａと同一軌跡の貫通溝７１０ｂがカム溝７１０ａと位相を変えて設けられ、貫通溝７１０ｂには、内カム筒６００の回転伝達キー６００ｄが挿通する。
【００３８】
また、外直進筒７１０には、切り欠き溝７１０ｃが設けられる。切り欠き溝７１０ｃには、３群ベース３０３の直進キー３０３ｃ及び４群ベース４０３の直進キー４０３ｂが嵌合されて、第３レンズ群３００及び第４レンズ群４００を光軸方向に直進案内する。外直進筒７１０の結像面側の端部外周部には、外カム筒７００より径方向外側に延出するフランジ部７１１が設けられ、フランジ部７１１には、径方向外側に突出する直進キー７１０ｄが設けられる。
【００３９】
外カム筒７００の内周部には、３群カム溝７００ａ及び４群カム溝７００ｂが設けられる。３群カム溝７００ａには、３群ベース３０３のカムピン３０３ａが係合して、第３レンズ群３００を光軸方向に駆動する。４群カム溝７００ｂには、４群ベース４０３のカムピン４０３ａが係合して、第４レンズ群４００を光軸方向に駆動する。また、外カム筒７００の内周部には、回転伝達溝７００ｃが設けられ、回転伝達溝７００ｃには、内カム筒６００の回転伝達キー６００ｄが嵌合されて、外カム筒７００の回転を内カム筒６００に伝達する。
【００４０】
外カム筒７００の外周部には、径方向外側に突出するカムピン７００ｄが周方向に略等間隔で複数設けられる。また、外カム筒７００の外周部には、駆動筒８０１から回転力が伝達される回転伝達キー７００ｅがカムピン７００ｄと別の位置に設けられる。
【００４１】
外カム筒７００の外周側には、固定筒８００が配置され、固定筒８００の外周側には、駆動筒８０１が配置され、駆動筒８０１の外周側には、外カバー筒８０２が配置される。固定筒８００及び外カバー筒８０２は、撮像素子９０４(図５参照）を保持するセンサホルダ９００に締結される。駆動筒８０１は、光軸方向の移動が規制された状態で回転可能に保持される。
【００４２】
固定筒８００の内周部には、カム溝８００ａが設けられ、カム溝８００ａには、外カム筒７００のカムピン７００ｄが係合して、外カム筒７００を光軸方向に駆動する。固定筒８００には、カム溝８００ａと別の位置にカム溝８００ａと同一軌跡の貫通溝８００ｂが設けられ、貫通溝８００ｂには、外カム筒７００の回転伝達キー７００ｅが挿通する。固定筒８００には、切り欠き溝８００ｃが設けられ、切り欠き溝８００ｃには、外直進筒７１０の直進キー７１０ｄが嵌合して、外直進筒７１０が光軸方向に直進案内される。
【００４３】
固定筒８００には、切り欠き溝８００ｄが設けられ、切り欠き溝８００ｄには、５群ベース５０３の直進キー５０３ｂが嵌合して、第５レンズ群５００が光軸方向に直進案内される。固定筒８００の外周部には、第３レンズ群３００のフレキシブル配線基板３０９、及び第５レンズ群５００のフレキシブル配線基板５０６を鏡筒外側に導出するための開口部８００ｅ(図１１参照）が設けられる。
【００４４】
駆動筒８０１の内周部には、５群カム溝８０１ａが設けられる。５群カム溝８０１ａには、５群ベース５０３のカムピン５０３ａが係合して第５レンズ群５００を光軸方向に駆動する。また、駆動筒８０１の内周部には、回転伝達溝８０１ｂが設けられ、回転伝達溝８０１ｂには、外カム筒７００の回転伝達キー７００ｅが嵌合して、駆動筒８０１の回転を外カム筒７００に伝達する。
【００４５】
駆動筒８０１の外周部には、ギア部８０１ｃが設けられ、ギア部８０１ｃは、ギア列９０１を介してズームモータ９０２の駆動軸に接続される。ズームモータ９０２の駆動により、ズームモータ９０２の回転がギア列９０１及びギア部８０１ｃを介して駆動筒８０１に伝達され、駆動筒８０１の回転が外カム筒７００及び内カム筒６００に伝達される。これにより、第１レンズ群１００〜第５レンズ群５００が対応するカム溝の軌跡に追従して光軸方向に移動する。
【００４６】
また、駆動筒８０１の外周部には、第３レンズ群３００のフレキシブル配線基板３０９、及び第５レンズ群５００のフレキシブル配線基板５０６を鏡筒外側に導出するための開口部８０１ｄ（図１１参照）が設けられる。開口部８０１ｄは、駆動筒８０１の回転範囲全体に渡って固定筒８００の開口部８００ｅと重なるように、フレキシブル配線基板３０９，５０６の幅に駆動筒８０１の回転量を加味した範囲で設けられる。
【００４７】
外カバー筒８０２の外周部にも、第３レンズ群３００のフレキシブル配線基板３０９、及び第５レンズ群５００のフレキシブル配線基板５０６を鏡筒外側に導出するための開口部８０２ａ（図１１参照）が設けられる。センサホルダ９００は、光学フィルタ９０３、撮像素子９０４、ギア列９０１、及びズームモータ９０２を保持する。ここで、固定筒８００、駆動筒８０１及び外カバー筒８０２は、本発明の外筒部材の一例に相当する。
【００４８】
図５は、沈胴位置でのレンズ鏡筒の断面図である。図５に示すように、レンズ鏡筒の沈胴状態では、第１レンズ群１００，第２レンズ群２００、第３レンズ群３００及び第５レンズ群５００は、光軸に沿って配置されて、各レンズ群の間隔を狭めた状態に位置する。一方、第４レンズ群４００は、光軸から径方向外側に退避し、第３レンズ群３００に対して径方向に隣接して配置される。
【００４９】
このとき、５群ベース５０３のツノ部５０３ｃが第４レンズ枠４０２の退避カム４０２ａに当接し、これにより、第４レンズ群４００の第４レンズ枠４０２が揺動軸４０５を中心に揺動して、図５に示すように、光軸から退避する。
【００５０】
カメラの電源を投入すると、レンズ鏡筒は、図５に示す沈胴位置から撮影位置に繰り出す。具体的には、まず、ズームモータ９０２が駆動されて、ギア列９０１及びギア部８０１ｃを介して駆動筒８０１が回転する。駆動筒８０１の回転は、前述したように、各回転伝達キー溝を通じて外カム筒７００及び内カム筒６００に伝達される。
【００５１】
外カム筒７００は、固定筒８００のカム溝８００ａの軌跡に追従して光軸方向に移動する。内カム筒６００は、外直進筒７１０のカム溝７１０ａの軌跡に追従して外直進筒７１０及び外カム筒７００に対して光軸方向に移動する。
【００５２】
第１レンズ群１００及び第２レンズ群２００は、内カム筒６００に対して各カム溝の軌跡に追従して光軸方向に移動する。第３レンズ群３００及び第４レンズ群４００は、外カム筒７００に対して各カム溝の軌跡に追従して光軸方向に移動する。第５レンズ群５００の５群ベース５０３は、駆動筒８０１に対してカム溝８０１ａの軌跡に追従して光軸方向に移動する。
【００５３】
図６は、各レンズ群１００〜５００のカム軌跡を示す図である。図６に示すように、レンズ鏡筒の沈胴位置から撮影位置への移行に際して、第３レンズ群３００の方が第４レンズ群４００よりも多く繰出すようにカム溝が設定される。まず、第３レンズ群３００の第３レンズ枠３０２の像面側端部が第４レンズ群４００の第４レンズ枠４０２の被写体側端部よりも繰出して、第４レンズ４０１が光軸上に並ぶためのスペースが確保される。
【００５４】
次に、第４レンズ群４００と５群ベース５０３が次第に離間し、５群ベース５０３のツノ部５０３ｃが第４レンズ枠４０２の退避カム４０２ａから次第に遠ざかる。第４レンズ枠４０２は、トーションバネ４０４によって回転方向に付勢されているため、ツノ部５０３ｃの形状に従って光軸に向けて揺動する。
【００５５】
そして、第４レンズ枠４０２の当接部４０２ｂが４群ベース４０３の突出部４０３ｃに当接すると、第４レンズ群４００が光軸上に位置し、それ以上の揺動が規制される。第４レンズ群４００と５群ベース５０３とはさらに離間し、５群ベース５０３のツノ部５０３ｃは第４レンズ枠４０２の退避カム４０２ａから完全に離間する。第４レンズ群４００が光軸上に位置してからレンズ鏡筒はワイド位置に到達し、ズームモータ９０２の駆動が停止する。
【００５６】
図７は、ワイド位置でのレンズ鏡筒の要部断面図である。レンズ鏡筒がワイド位置に到達するのと前後して、ＡＦモータ５０４が駆動され、第５レンズ枠５０２が５群ベース５０３に対して所定の位置まで光軸方向に繰出される。ＡＦモータ５０４の駆動による第５レンズ枠５０２の光軸方向の移動は、ズームモータ９０２の駆動による５群ベース５０３の光軸方向の移動とは独立して行われる。
【００５７】
ワイド位置からテレ位置に向けてズーミングする際には、ズームモータ９０２をさらに駆動することで、駆動筒８０１、外カム筒７００、及び内カム筒６００が回転して、各カム溝の軌跡に追従して第１レンズ群１００〜第５レンズ群５００が光軸方向に移動する。
【００５８】
本実施形態では、図６に示すカム軌跡で各レンズ群１００〜５００が光軸方向に移動する。第１レンズ群１００は、一旦繰り込んだ後繰出し方向に移動し、第２レンズ群２００は、次第に繰込む。第３レンズ群３００及び第４レンズ群４００は、次第に繰出し、５群ベース５０３は、一旦繰出したのち繰込み方向に移動する。第５レンズ枠５０２は、ズーム駆動と独立してＡＦモータ５０４によって光軸方向に駆動される。
【００５９】
図８は、テレ位置でのレンズ鏡筒の要部断面図である。テレ位置からワイド位置に向けてズーミングする際には、ズームモータ９０２を逆方向に駆動することで、前述と同様に、各カム溝の軌跡に追従して各レンズ群１００〜５００が光軸方向に移動する。
【００６０】
ワイド位置から沈胴位置への移行の際には、ＡＦモータ５０４の駆動により第５レンズ枠５０２が５群ベース５０３に対して繰込み方向に移動し、第５レンズ枠５０２の繰込み方向の移動と前後してズームモータ９０２が繰込み方向に駆動される。
【００６１】
これにより、第１レンズ群１００及び第２レンズ群２００は、それぞれカム溝の軌跡に追従して繰込み方向に移動する。また、第３レンズ群３００及び第４レンズ群４００は、レンズ間隔を保った状態で繰込み方向に移動し、第４レンズ群４００と５群ベース５０３とは次第に接近する。
【００６２】
そして、５群ベース５０３のツノ部５０３ｃが第４レンズ枠４０２の退避カム４０２ａに当接すると、カム作用によって第４レンズ枠４０２がトーションバネ４０４の付勢力に抗して４群ベース４０３に対して揺動して光軸からの退避を開始する。５群ベース５０３と第４レンズ群４００とがさらに近づくと、退避カム４０２ａの形状に従って第４レンズ枠４０２はさらに光軸から退避する。
【００６３】
第４レンズ枠４０２が第３レンズ枠３０２に隣接する位置まで退避すると、５群ベース５０３及び第４レンズ群４００は、光軸方向の距離を保った状態で繰込み方向に移動する。そして、第４レンズ枠４０２の光軸からの退避が完了した後、第３レンズ群３００と第４レンズ群４００との光軸方向の距離が接近し、第３レンズ枠３０２と第４レンズ枠４０２は光軸方向において径方向に重なり始める。レンズ鏡筒が沈胴位置に至ると、第３レンズ枠３０２と第４レンズ枠４０２は径方向に隣接して配置され、各レンズ群１００〜５００は図５に示す位置関係となる。
【００６４】
次に、図９乃至図１４を参照して、第３レンズ群３００のフレキシブル配線基板３０９、及び第５レンズ群５００のフレキシブル配線基板５０６のレンズ鏡筒内における配回しについて説明する。
【００６５】
図９は、第３レンズ群３００のフレキシブル配線基板３０９の展開図である。図９に示すように、フレキシブル配線基板３０９は、コネクト部３０９ａ、島部３０９ｂ、及びコネクト部３０９ａと島部３０９ｂとを中継してレンズ鏡筒のズーム位置に応じて屈曲する中継部３０９ｃとを有する。コネクト部３０９ａは、不図示の基板に接続され、島部３０９ｂは、絞りシャッタ装置３０５、ＩＳコイル３０７、及びＩＳセンサに接続される。ここで、フレキシブル配線基板３０９は、本発明の第１フレキシブル配線基板の一例に相当し、絞りシャッタ装置３０５の駆動部及びＩＳコイル３０７は、本発明の第１アクチュエータの一例に相当する。
【００６６】
図１０は、第５レンズ群５００のフレキシブル配線基板５０６の展開図である。図１０に示すように、フレキシブル配線基板５０６は、コネクト部５０６ａ、島部５０６ｂ、及びコネクト部５０６ａと島部５０６ｂとを中継してレンズ鏡筒のズーム位置に応じて屈曲する中継部５０６ｃとを有する。コネクト部５０６ａは、不図示の基板に接続され、島部５０６ｂは、ＡＦモータ５０４やフォトインタラプタ５０５に接続される。ここで、フレキシブル配線基板５０６は、本発明の第２フレキシブル配線基板の一例に相当し、ＡＦモータ５０４は、本発明の第２アクチュエータの一例に相当する。
【００６７】
図１１は、レンズ鏡筒の沈胴位置におけるフレキシブル配線基板３０９，５０６の配置を示す断面図である。
【００６８】
第３レンズ群３００のフレキシブル配線基板３０９は、図１１に示すように、絞りシャッタ装置３０５の結像面側に島部３０９ｂが配置され、絞りシャッタ装置３０５の外縁部から中継部３０９ｃが結像面側に折り曲げられる。
【００６９】
その後、中継部３０９ｃは、４群ベース４０３の外周部と内直進筒６１０の内周部との間を通って結像面側に延び、内直進筒６１０と内カム筒６００の結像面側の端部で径方向外側に折り曲げられる。
【００７０】
更に、中継部３０９ｃは、内直進筒６１０及び内カム筒６００とセンサホルダ９００との間を通って径方向外側に向かって延び、外カム筒７００の結像面側の端部よりも外周側で被写体側に折り曲げられる。
【００７１】
更に、中継部３０９ｃは、外カム筒７００外周面と固定筒８００内周面の間を通って被写体側に向かって延び、固定筒８００の開口部８００ｅの位置で径方向外側に折り曲げられる。
【００７２】
そして、中継部３０９ｃは、固定筒８００の開口部８００ｅ、駆動筒８０１の開口部８０１ｄ、及び外カバー筒８０２の開口部８０２ａを通ってレンズ鏡筒の外側へと導出され、コネクト部３０９ａが不図示の基板に接続される。
【００７３】
一方、第５レンズ群５００のフレキシブル配線基板５０６は、５群ベース５０３の結像面側に島部５０６ｂが配置される。５群ベース５０３の外縁部から中継部５０６ｃがフレキシブル配線基板３０９の中継部３０９ｃとセンサホルダ９００との間を通って径方向外側に延びる。なお、中継部５０６ｃは、フレキシブル配線基板３０９と同一位相に設けられ、また、レンズ鏡筒の沈胴状態において、５群ベース５０３の結像面側の端部と内直進筒６１０の結像面側の端部は光軸方向のほぼ同一位置に配置される。
【００７４】
その後、中継部５０６ｃは、フレキシブル配線基板３０９の中継部３０９ｃとセンサホルダ９００との間を通って径方向外側に延び、外カム筒７００の結像面側の端部よりも外周側で被写体側に折り曲げられる。
【００７５】
更に、中継部５０６ｃは、フレキシブル配線基板の中継部３０９ｃと固定筒８００の内周部との間を通って被写体側に向かって延び、固定筒８００の開口部８００ｅの位置で径方向外側に折り曲げられる。
【００７６】
そして、中継部５０６ｃは、固定筒８００の開口部８００ｅ、駆動筒８０１の開口部８０１ｄ、及び外カバー筒８０２の開口部８０２ａを通ってレンズ鏡筒の外側へと導出され、コネクト部５０６ａが不図示の基板に接続される。
【００７７】
図１２は、レンズ鏡筒のワイド位置におけるフレキシブル配線基板３０９，５０６の配置を示す断面図である。
【００７８】
フレキシブル配線基板の中継部３０９ｃは、図１２に示すように、絞りシャッタ装置３０５の外縁部から結像面側に折り曲げられ、結像面側に向かって延びる。４群ベース４０３の外縁部には、光軸と平行に結像面側に延びるガイド部４０３ｄが設けられている。このガイド部４０３ｄによって、フレキシブル配線基板３０９が光軸へ近づく方向のたわみや屈曲が防止される。これにより、フレキシブル配線基板３０９に光線が当たることで発生するゴーストが防止されるとともに、沈胴時にフレキシブル配線基板３０９の中継部３０９ｃが４群ベース４０３と５群ベース５０３とで挟み込まれることが防止される。
【００７９】
４群ベース４０３のガイド部４０３ｄは、できるだけ結像面側へ長く延ばすことが望ましく、固定筒８００、駆動筒８０１、外カバー筒８０２の各開口部８００ｅ，８０１ｄ，８０２ａよりも結像面側に延ばすことがより望ましい。
【００８０】
フレキシブル配線基板３０９の中継部３０９ｃは、５群ベース５０３付近で被写体側に向かって湾曲する。ここを湾曲部Ａとする。また、固定筒８００の開口部８００ｅの手前で、中継部３０９ｃは、逆方向に湾曲する。ここを湾曲部Ｂとする。中継部３０９ｃは、湾曲部Ｂから固定筒８００の開口部８００ｅに滑らかに挿通される。
【００８１】
一方、フレキシブル配線基板５０６の中継部５０６ｃは、５群ベース５０３の外縁部から結像面側に緩やかに湾曲する。ここを湾曲部Ｃとする。その先で中継部５０６ｃは、逆方向、すなわち被写体側に向かって緩やかに湾曲し、固定筒８００の内周部に接してさらに湾曲が続く。ここを湾曲部Ｄとする。その先で中継部５０６ｃは、径方向外側に向けて湾曲する。ここを湾曲部Ｅとする。中継部５０６ｃは、湾曲部Ｅの途中からフレキシブル配線基板３０９の湾曲部Ｂに接して、湾曲部Ｂに沿って固定筒８００の開口部８００ｅに滑らかに挿通し、レンズ鏡筒の外部へと導かれる。
【００８２】
ここで、フレキシブル配線基板５０６の中継部５０６ｃのたわみを５群ベース５０３よりも結像面側に設定し、さらに中継部５０６ｃを固定筒８００の内周部に接するように這い回すことで、湾曲部Ｅよりも光軸側（径方向内側）により大きな空間を確保できる。
【００８３】
すなわち、フレキシブル配線基板３０９の中継部３０９ｃがたわむスペースを大きく取ることができ、フレキシブル配線基板３０９の中継部３０９ｃの長さの設計自由度を高くすることができる。また、フレキシブル配線基板３０９の中継部３０９ｃの湾曲部Ａの湾曲半径を大きくできることから、中継部３０９ｃのコシによる第３レンズ群３００への負荷を減らすことが出来る。さらに、湾曲部Ａのスペースが大きく取れることから、湾曲部Ａが光軸側にたわむのを防ぐことができる。
【００８４】
しかし、第５レンズ群５００のフレキシブル配線基板５０６は、５群ベース５０３から固定筒８００の開口部８００ｅまでの距離が短いため、中継部５０６ｃがたわむスペースやたわみ部の湾曲半径が小さい。そのため、湾曲部Ｄが固定筒８００に内周部に接する這い回しや、湾曲部Ｃのように５群ベース５０３の外縁から始まる中継部５０６ｃを固定筒８００の開口部８００ｅとは逆方向である結像面側に湾曲させてたわませることは困難である。
【００８５】
例えば４群ベース４０３のガイド部４０３ｄが存在せず、フレキシブル配線基板３０９の湾曲部Ｂがフレキシブル配線基板５０６の湾曲部Ｅを径方向外側に向けて付勢しない場合について、図１３を用いて説明する。
【００８６】
図１３において、破線は、図１２で説明した本実施形態における各フレキシブル配線基板３０９，５０６の配置を本実施形態例として示す。実線は、４群ベース４０３のガイド部４０３ｄが存在せず、フレキシブル配線基板３０９の湾曲部Ｂがフレキシブル配線基板５０６の湾曲部Ｅを径方向外側に向けて付勢しない場合の各フレキシブル配線基板３０９，５０６の配置を比較例として示す。
【００８７】
図１３に示すように、比較例におけるフレキシブル配線基板５０６は、固定筒８００の内周部に接することなく、５群ベース５０３よりも被写体側のスペースにたわみが発生する。このとき、フレキシブル配線基板３０９の中継部３０９ｃは、余分な長さを処理するたわみを持たせるスペースが十分に取れず、第４レンズ群４００と第５レンズ群５００との間で光軸側に入り込んでくる。そのため、光線がフレキシブル配線基板３０９に当たってゴーストが発生したり、沈胴時にフレキシブル配線基板３０９の中継部３０９ｃを４群ベース４０３と５群ベース５０３とで挟みこんでしまう虞れがある。
【００８８】
これに対し、本実施形態例では、上述したように、４群ベース４０３のガイド部４０３ｄによって、フレキシブル配線基板３０９の光軸へ近づく方向のたわみや屈曲が防止されている。このため、フレキシブル配線基板３０９の湾曲部Ｂがフレキシブル配線基板５０６の湾曲部Ｅを光軸から離れるように径方向外側に付勢してフレキシブル配線基板５０６を固定筒８００の内周部に接するように這い回すことが可能となる。
【００８９】
また、フレキシブル配線基板３０９の湾曲部Ｂでフレキシブル配線基板５０６の湾曲部Ｅをガイドして、フレキシブル配線基板５０６のたわみ部を５群ベース５０３よりも結像面側に配置させることができる。
【００９０】
更に、４群ベース４０３のガイド部４０３ｄを固定筒８００の開口部８００ｅよりも結像面側まで延ばすことで、フレキシブル配線基板３０９の湾曲部Ｂがフレキシブル配線基板５０６の湾曲部Ｅを径方向外側へ付勢する作用をより確実なものにすることができる。
【００９１】
更に、フレキシブル配線基板３０９の中継部３０９ｃの幅をフレキシブル配線基板５０６の中継部５０６ｃの幅よりも広くすることで、湾曲部Ｂがフレキシブル配線基板５０６の湾曲部Ｅを径方向外側へ付勢する作用を更に確実なものにすることができる。
【００９２】
更に、固定筒８００の開口部８００ｅ及び外カバー筒８０２の開口部８０２ａのうち周方向に沿う幅が狭い方の開口部幅が、中継部３０９ｃの幅と中継部５０６ｃの幅の合計よりも狭いことが望ましい。それによって、各フレキシブル配線基板３０９，５０６が開口部で互いに幅方向に位置ずれしても、必ずフレキシブル配線基板３０９，５０６同士で重なる部分が生じて、上述した付勢の効果を発揮することができる。
【００９３】
図１４は、レンズ鏡筒のテレ位置におけるフレキシブル配線基板３０９，５０６の配置を示す断面図である。
【００９４】
図１４に示すように、フレキシブル配線基板３０９の中継部３０９ｃは、絞りシャッタ装置３０５の外縁部から結像面側に折り曲げられ、結像面に向かって延びて緩やかに湾曲して固定筒８００の開口部８００ｅに挿通し、レンズ鏡筒の外部へ導かれる。
【００９５】
フレキシブル配線基板５０６の中継部５０６ｃは、５群ベース５０３の外縁部から被写体側へ湾曲し、その先で径方向外側に湾曲して、固定筒８００の開口部８００ｅに挿通し、レンズ鏡筒の外部へ導かれる。
【００９６】
レンズ鏡筒のテレ状態では、第３レンズ群３００は、繰出し端に位置し、フレキシブル配線基板３０９の中継部３０９ｃにたるみはほとんど無い。５群ベース５０３は、ワイド状態よりも繰込んだ位置にあるため、フレキシブル配線基板５０６は、５群ベース５０３よりも被写体側のスペースでたるみを持つが、フレキシブル配線基板３０９を這い回す上で問題となることはない。
【００９７】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００９８】
３００  第３レンズ群
３０５  絞りシャッタ装置
３０７  ＩＳコイル
３０９  フレキシブル配線基板
４００  第４レンズ群、
５００  第５レンズ群
５０４  ＡＦモータ
５０６  フレキシブル配線基板
８００  固定筒
８０１  駆動筒８０１
８０２  外カバー筒
８００ｅ，８０１ｄ，８０２ａ  開口部
【図１】
2015125441.tif 000003
【図２】
2015125441.tif 000004
【図３】
2015125441.tif 000005
【図４】
2015125441.tif 000006
【図５】
2015125441.tif 000007
【図６】
2015125441.tif 000008
【図７】
2015125441.tif 000009
【図８】
2015125441.tif 000010
【図９】
2015125441.tif 000011
【図１０】
2015125441.tif 000012
【図１１】
2015125441.tif 000013
【図１２】
2015125441.tif 000014
【図１３】
2015125441.tif 000015
【図１４】
2015125441.tif 000016